(57)【要約】      （修正有）【解決手段】注射器１のバレル２の先端には外ハブ５が装着されており、該外ハブ５にはカヌラ６の装着された内ハブ７が進退動可能に設けられるとともに、内ハブ７と外ハブ５との間にはばね８が弾装されている。外ハブ５には外周面から内周面に貫通孔が形成されており、該貫通孔には係合部材の係合ピンが挿入され、該係合ピンは内ハブ７に形成された凹部と相互に係合して、内ハブ７をばね８の付勢力に抗して前進位置に保持している。注射器１の使用後には、上記係合部材９を引き抜くことで、上記係合ピンと内ハブ７との係合が解除され、内ハブ７はばね８の付勢力により後退し、カヌラ６ごとバレル２内に収容されることとなる。【効果】誤穿刺事故を防止することができ、かつ安価な注射器１を提供する。【選択図】図３
2008073237.tif 000002
【特許請求の範囲】
【請求項１】
筒状のバレルと、バレルの先端に設けられた筒状の外ハブと、外ハブ内に移動可能に設けられてカヌラを保持する内ハブと、上記外ハブと内ハブとの間に弾装されて内ハブをバレルの後方に向けて付勢する弾性部材と、外ハブの外周面から内周面に貫通する貫通孔と、該貫通孔に挿入されて上記内ハブに形成された被係合部に係合する係合部材とを備え、
弾性部材の弾性力に抗して内ハブを前進させてカヌラの先端部を外ハブから突出させるとともに、上記係合部材と内ハブの被係合部とを係合させて該内ハブを前進位置に保持し、使用後に係合部材と被係合部との係合を解除して、上記弾性部材の付勢力により内ハブを後退させて上記カヌラを内ハブごとバレル内に収納することを特徴とする注射器。
【請求項２】
上記内ハブの上記被係合部の後方にシール部材を設け、内ハブが前進位置に位置している際に、該シール部材によりバレルの後方に形成された薬液室と上記係合部材及び弾性部材の位置する空間とを区画することを特徴とする請求項１に記載の注射器。
【請求項３】
上記係合部材は、把持部と、把持部の先端に形成されて上記貫通孔に挿入される係合ピンとを備え、
上記係合ピンを貫通孔に挿入して内ハブの被係合部に係合させることで、上記内ハブを前進位置に維持することを特徴とする請求項１または請求項２のいずれかに記載の注射器。
【請求項４】
上記係合部材は２本の係合ピンを備え、上記被係合部は、上記内ハブの外周面に形成されて上記２本の係合ピンに係合する凹部であることを特徴とする請求項３に記載の注射器。
【請求項５】
上記内ハブの被係合部は内ハブの外周面に対して縮径された凹部を有し、
上記係合部材は上記貫通孔に進退動可能に挿入された板状を有し、該係合部材には上記凹部と略同径の小径孔と、内ハブの外周面と略同径の大径孔とが隣接して穿設され、
上記小径孔の中心と内ハブの中心軸とを一致させることで小径孔と内ハブの凹部とを係合させて上記内ハブを前進位置に保持し、使用後に係合部材を移動させて上記大径孔の中心と内ハブの中心軸とを一致させることで内ハブが大径孔を通過してバレル内部に後退するようにしたことを特徴とする請求項１または請求項２のいずれかに記載の注射器。
【発明の詳細な説明】
【技術分野】
【０００１】
本発明は注射器に関し、詳しくは注射器の使用後にカヌラをバレル内に収納することの可能な注射器に関する。
【背景技術】
【０００２】
従来、注射器の使用後にカヌラが医療従事者に刺さってしまう誤穿刺事故を防止するため、使用後にカヌラをバレル内に収納することの可能な注射器が用いられている。
このような注射器として、筒状のバレルと、バレル内に移動可能に設けられてカヌラを保持する内ハブと、上記内ハブをバレルの後方に向けて付勢するばねとを備え、注射器の使用時にはばねの弾性力に抗して内ハブを前進位置に保持し、注射器の使用後にはこの保持状態を解除して、上記ばねの弾性力によって内ハブを後退させ、上記カヌラを内ハブごとバレル内に収納するものが知られている。（特許文献１〜５）
【特許文献１】特表平０９−５０３９４８号公報
【特許文献２】特表２０００−５０３２４５号公報
【特許文献３】特表２００２−５００９３４号公報
【特許文献４】特表２００２−５２４１５４号公報
【特許文献５】特開２００４−１３００７８号公報
【発明の開示】
【発明が解決しようとする課題】
【０００３】
しかしながら、特許文献１、４、５の注射器の場合、内ハブおよびカヌラをプランジャ内に収容するため、ガスケットおよびプランジャにそのための機構を設けなければならず、また特許文献２、３ではバレルが２重構造となるため、構造が複雑で製造コストが高いといった問題があった。
このような問題に鑑み、本発明は注射器の使用後にカヌラをバレル内に収納することができ、かつ安価な注射器を提供するものである。
【課題を解決するための手段】
【０００４】
すなわち請求項１の発明は、筒状のバレルと、バレルの先端に設けられた筒状の外ハブと、外ハブ内に移動可能に設けられてカヌラを保持する内ハブと、上記外ハブと内ハブとの間に弾装されて内ハブをバレルの後方に向けて付勢する弾性部材と、外ハブの外周面から内周面に貫通する貫通孔と、該貫通孔に挿入されて上記内ハブに形成された被係合部に係合する係合部材とを備え、
弾性部材の弾性力に抗して内ハブを前進させてカヌラの先端部を外ハブから突出させるとともに、上記係合部材と内ハブの被係合部とを係合させて該内ハブを前進位置に保持し、使用後に係合部材と被係合部との係合を解除して、上記弾性部材の付勢力により内ハブを後退させて上記カヌラを内ハブごとバレル内に収納することを特徴としている。
【発明の効果】
【０００５】
上記発明によれば、使用後に係合部材と被係合部との係合を解除すれば、上記弾性部材の付勢力により内ハブを後退させ、上記カヌラを内ハブごとバレル内に収納することができるので、誤穿刺等の事故を防止することができる。
また、外ハブに形成された貫通孔に係合部材を挿入し、該係合部材を内ハブの被係合部とを係合させるという構成により、内ハブを前進位置に保持することができるので、構成が容易で安価な注射器を得ることができる。
【発明を実施するための最良の形態】
【０００６】
以下、図示実施例について説明すると、図１、図２は第１実施例としての注射器１の断面図を示し、図１は使用状態の注射器１を、図２は使用後の注射器１をそれぞれ示し、また以下の説明において、下記カヌラ６の先端側を注射器１の先端側もしくは前方として説明する。
上記注射器１は、血液や薬品などを貯溜する筒状のバレル２と、該バレル２内を進退動するプランジャ３と、該プランジャ３の先端に連結されて上記バレル２を気密を守った状態で進退動するガスケット４と、バレル２の先端に連結された筒状の外ハブ５と、外ハブ５内に移動可能に設けられてカヌラ６を保持する内ハブ７とから構成されている。
また上記外ハブ５と内ハブ７との間には内ハブ７をバレル２の後方に向けて付勢する弾性部材としてのばね８が弾装され、図１の使用状態においては、上記内ハブ７はばね８の付勢力に抗して外ハブ５に接近した前進位置に位置している。
上記内ハブ７を上記前進位置に保持するため、本実施例では上記外ハブ５に係合手段９を着脱自在に設けており、上記内ハブ７と係合手段９とを係合させることで、内ハブ７を前進位置に保持するようになっている。
そして注射器１の使用後に当該係合手段９を除去すると、内ハブ７はばね８の付勢力によって後退し、図２に示すように上記カヌラ６を内ハブ７ごとバレル２内に収納することができる。
【０００７】
以下、各部材について説明すると、上記バレル２は筒状の薬液室２ａと、薬液室２ａの前方に設けられ、薬液室２ａよりも小径に製造されて上記外ハブ５の連結される結合部２ｂとを備えている。
上記薬液室２ａの外周面には薬品や血液量を測定するための目盛が印刷され、上記結合部２ｂは上記内ハブ７を収容可能な径に製造されるとともに、先端に向けて縮径するテーパ形状を有している。
また薬液室２ａの後端には医療従事者の指をかけるためのバレル側フランジ２ｃが形成され、薬液室２ａの内周面後端には内周に向けて膨出部２ｄが形成されている。
【０００８】
上記プランジャ３は放射状に設けられた４枚の板状部材３ａと、先端に設けられた円盤状の押圧部３ｂと、押圧部３ｂの中央に設けられて上記ガスケット４と連結する係合突起３ｃと、後端に設けられたプランジャ側フランジ３ｄとから構成されている。
上記各板状部材３ａにおける上記押圧部３ｂの後方には、同じ位置に切欠き状の脆弱部３ｅが形成されており、この脆弱部３ｅを支点にプランジャ３全体を折り曲げると、該脆弱部３ｅの位置で板状部材３ａが破断し、プランジャ３を脆弱部３ｅの位置で分離することが可能となっている。
上記押圧部３ｂは上記バレル２の薬液室２ａの内径と略同径に製造されており、プランジャ３を後方に移動させると上記薬液室２ａの膨出部２ｄに係合して、プランジャ３がバレル２より脱落するのが防止されるようになっている。
上記ガスケット４はゴムなどの樹脂製であって、後端部において上記プランジャ３の係合突起３ｃに係合すると共に、プランジャ３の進退動に伴って薬液室２ａの気密を保持しながら進退動するようになっている。
【０００９】
図３は上記注射器１の先端側の拡大断面図を示しており、上記外ハブ５の内周面には、上記ばね８を収容する収容部５ａと、上記バレル２の結合部２ｂの外周に嵌合する連結部５ｂと、収容部５ａの前方に形成されて上記内ハブ７の先端と嵌合するテーパ部５ｃとが形成されている。
上記収容部５ａとテーパ部５ｃとの間には上記ばね８が弾接する段差状のばね受け部５ｄが形成され、また収容部５ａの後端には後端側に向けて拡径するテーパ状のシール部５ｆが形成されている。
上記テーパ部５ｃは先端側に向けて縮径するテーパ形状を有しており、上記内ハブ７が前進位置に位置するときには、内ハブ７の先端とテーパ部５ｃとが嵌合し、液漏れ等を防止するようになっている。
【００１０】
上記内ハブ７は筒状の部材であって、その先端で上記カヌラ６を保持するとともに内部には薬剤等の流通する通路が形成され、カヌラ６とバレル２の薬液室２ａとを相互に連通させるようになっている。
内ハブ７の外周面には、上記外ハブ５の収容部５ａの径と略同径の大径部７ａと、該大径部７ａよりも前方に形成されて上記ばね８が装着される小径部７ｂとから構成されている。
上記大径部７ａと小径部７ｂとの間には上記ばね８の後端が弾接する段差状のばね受け部７ｃが形成され、上記外ハブ５に形成された上記ばね受け部５ｄとの間にばね８を弾装することで、内ハブ７が後方に付勢されるようになっている。
上記小径部７ｂの先端はテーパ状に加工されており、内ハブ７が前進位置に位置するときには上記外ハブ５のテーパ部５ｃに嵌合して、内ハブ７の前進を阻止すると共に、薬液等の漏出を防止するようになっている。
また上記大径部７ａの後方には環状溝７ｄが形成されており、該環状溝７ｄにはシール部材としての樹脂製のリングシール１０が装着されている。このリングシール１０は、内ハブ７が前進位置に位置すると上記外ハブ５のシール部５ｆに弾性変形しながら相互に密着し、該リングシール１０の前後の空間を気密を保った状態に区画するようになっている。
【００１１】
図４は注射器１の使用状態における係合手段９の装着されている状態を示し、図３のＩＶ−ＩＶ部における断面図となっている。
まず上記内ハブ７のばね受け部７ｃと環状溝７ｄとの間には、上記大径部７ａよりも内周面側にむけて被係合部としての凹部７ｅが形成され、該凹部７ｅは上記内ハブ７の中心軸を挟むように２ヶ所に形成されている。
また上記外ハブ５には、内ハブ７が前進位置に位置したときの上記凹部７ｅの位置に、外周面から内周面にかけて貫通する２つの貫通孔５ｆが穿設されており、該貫通孔５ｆの幅と上記内ハブ７の凹部７ｅの形成された幅とは略同一となっている。
そして上記係合手段９は、医療従事者が把持する把持部９ａと、把持部９ａの先端に形成された係合部材としての２本の係合ピン９ｂとから構成され、上記係合ピン９ｂはそれぞれ上記外ハブ５の貫通孔５ｆに挿入されて、外ハブ５の内周面に突出するようになっている。
外ハブ５の内周面に突出した係合ピン９ｂは、それぞれ上記内ハブ７の凹部７ｅに係合し、その結果内ハブ７はばね８の付勢力に抗して前進位置に保持されることとなる。
一方、係合手段９を外ハブ５から除去して、上記係合ピン９ｂと凹部７ｅとの係合状態が解除されると、内ハブ７はばね８の付勢力により後退し、カヌラ６ごとバレル２内に収納されることとなる。
なお、本実施例では上記凹部７ｅを内ハブ７の中心軸を挟んだ両側に形成しているが、これを内ハブ７を囲繞するような環状溝とすることも可能であり、また凹部７ｅおよび貫通孔５ｆを内ハブ７および外ハブ５の片側にだけ設けて、上記係合ピン９ｂを１本とすることも可能である。
【００１２】
以上の構成を有する注射器１の使用方法について説明する。
注射器１には、予め搬送中におけるカヌラ６の保護および上記係合手段９の脱落を防止するため、注射器１の先端には図示しないキャップが装着されており、使用時にはこのキャップを外すようになっている。
そして医療従事者は上記係合手段９が装着された状態を維持したまま、注射器１を使用する。このときの注射器１の操作は従来公知の注射器１と何ら変わることはなく、医療従事者が特別な操作を行う必要はない。
この注射器１の使用時において、上記内ハブ７に装着されたリングシール１０は、リングシール１０の後部に位置するバレル２の薬液室２ａと、係合手段９およびばね８の位置する空間とを気密を保った状態で区画している。
このため、薬液や血液がばね８に触れて変質するのを防止することができ、また外ハブ５に形成された貫通孔５ｆより薬液や血液が漏出するのを防止することができる。
【００１３】
そして、注射器１の使用が終了したら、カヌラ６が医療従事者に誤穿刺される事故を防止するため、以下のようにしてカヌラ６をバレル２内に収納するようになっている。
最初に、医療従事者はプランジャ３を後退させて上記プランジャ３の押圧部３ｂとバレル２の膨出部２ｄとを係合させ、上記脆弱部３ｅを支点にプランジャ３を折り曲げて、プランジャ３を脆弱部３ｅの位置で分離する。
これによりバレル２内のプランジャ３が前進してカヌラ６がバレル２より飛び出してしまうのを防止することができ、また分離したプランジャ３を医療用廃棄物としてでなく、通常の廃棄物として廃棄することができる。
次に、医療従事者は上記係合手段９を外ハブ５から離脱させる。その結果、係合手段９の係合ピン９ｂと内ハブ７の凹部７ｅとの係合状態が解除されるので、内ハブ７はばね８の付勢力によって後退し、内ハブ７ごとカヌラ６がバレル２内に収納される。
ここで図２に示すように、上記ばね８の自然長はバレル２内に収納されたカヌラ６の先端よりも先端側に突出するように設定されている。
このため、カヌラ６がバレル２内に収納された後は、ばね８の付勢力により内ハブ７が後方に付勢された状態が維持されるので、カヌラ６が外ハブ５より突出することはなく、誤穿刺等の事故を防止することができる。
なお、上記係合手段９を離脱させてカヌラ６がバレル２内に収納されてから、プランジャ３を脆弱部３ｅの位置で分離するようにしても良い。
【００１４】
以上のように、本実施例の注射器１の構成は、外ハブ５に貫通孔５ｆを形成するとともに、該貫通孔５ｆに係合手段９の係合ピン９ｂを挿入して、該係合ピン９ｂと内ハブ７に形成された凹部７ｅとを係合させるものであるので、上記特許文献１〜５の注射器に比べて構成が容易であり、安価に製造することができる。
また、上記バレル２の結合部２ｂの形状と、外ハブ５の連結部５ｂとの形状が一致すれば、容量の異なるバレル２にも装着することができ、多種の注射器１として利用することができる。
【００１５】
次に、第２実施例の注射器１０１について説明する。
この第２実施例の注射器１０１は、上記第１実施例の注射器１に比べ、内ハブ１０７を前進位置に保持する機構が異なるだけであるので、同様の形状を有している個所については説明を省略し、また図において共通する部材には第１実施例で使用した符号に１００を加算した符号を付すものとする。
図５は本実施例の注射器１０１の先端側の拡大断面図であり、外ハブ１０５には軸方向に対して直交方向に貫通する貫通孔１０５ｆが穿設され、該貫通孔１０５ｆには進退動可能に板状の係合部材１０９が挿入されている。
また本実施例の内ハブ１０７のばね受け部１０７ｃと環状溝１０７ｄとの中間には、大径部１０７ａよりも縮径された被係合部としての凹部１０７ｅが環状に形成されている。
なお、本実施例においても、上記第１実施例の凹部７ｅと同様、上記凹部１０７ｅを内ハブ１０７の中心軸を挟むような位置に形成してもよい。
【００１６】
図６は図５のＶＩ−ＶＩ部で切断した断面図を示しており、図６（ａ）は係合部材１０９により内ハブ１０７が前進位置に保持されている状態を、図６（ｂ）は係合部材１０９と内ハブ１０７との係合状態が解除された時の状態を示している。
上記係合部材１０９には、上記内ハブ１０７の凹部１０７ｅと略同径の小径孔１０９ａと、内ハブ１０７の大径部１０７ａと略同径の大径孔１０９ｂとが穿設されており、これら小径孔１０９ａおよび大径孔１０９ｂは係合部材１０９の長手方向に隣接して設けられるとともに、小径孔１０９ａの径と同一幅のガイド溝１０９ｃによって相互に連続するようになっている。
そして上記小径孔１０９ａの中心と内ハブ１０７の中心軸とを一致させると、小径孔１０９ａと内ハブ１０７の凹部１０７ｅとが係合するため、上記内ハブ１０７はばね１０８の付勢力に抗して前進位置に保持されるようになっている。
なお、本実施例では凹部１０７ｅと上記ガイド溝１０９ｃは略同一幅となっているので、ガイド溝１０９ｃによっても内ハブ１０７を前進位置に保持することができるようになっている。
一方、使用後に係合部材１０９を貫通孔１０５ｆに沿って移動させると、上記大径孔１０９ｂの中心と内ハブ１０７の中心軸とが一致し、これにより係合部材１０９と凹部１０７ｅとの係合状態が解除されるので、内ハブ１０７はばね１０８の付勢力により大径孔１０９ｂを通過してバレル１０２の内部に後退することとなる。
【００１７】
以上の構成を有する注射器１０１においても、上記第１実施例の注射器１と同様、注射器１０１の使用時には従来の注射器と同様の方法で使用することができ、特別な操作を行う必要はない。
また注射器１０１の使用後には、係合部材１０９を外ハブ１０５の貫通孔１０５ｆに沿って移動させることで、係合部材１０９と内ハブ１０７との係合状態が解除されるので、内ハブ１０７ごとカヌラ１０６をバレル１０２内に収納することができる。
この場合においても、上記ばね１０８の自然長がバレル２内に収納されたカヌラ６の先端よりも先端側に突出するように設定することで、カヌラ６がバレル２内に収納された後は、ばね１０８の弾性力によりカヌラ６が外部に突出するのを防止することができる。
そしてこのような第２実施例の注射器１０１においても、上記第１実施例の注射器１と同様の効果を得ることができる。
つまり、外ハブ１０５に貫通孔１０５ｆを形成して該貫通孔１０５ｆに係合部材１０９を進退動可能に挿入し、該係合部材１０９の小径孔１０９ａと内ハブ１０７の凹部１０７ｅとを係合させるだけで内ハブ１０７を前進位置に保持できるので、構成が容易であり安価に注射器１０１を得ることができる。
また上記バレル１０２の先端形状と、外ハブ１０５の連結部１０５ｂとの形状が一致すれば、薬液室１０２ａの容量等の異なるバレル１０２を使用することができ、多種の注射器１０１として利用することが可能である。
【００１８】
なお、上記各実施例において、バレル２、１０２と外ハブ５、１０５とは、結合部２ｂ、１０２ｂと連結部５ｂ、１０５ｂとにより連結されており、２つの部材から構成されているが、バレル２、１０２と外ハブ５、１０５とを一体に成形した構成としてもよい。
【図面の簡単な説明】
【００１９】
【図１】本実施例に係る注射器の使用前の状態を示した断面図。
【図２】注射器の使用後の状態を示した断面図。
【図３】注射器の先端側の拡大断面図を示す。
【図４】係合部材の装着状態を示す断面図。
【図５】第２実施例にかかる注射器の先端側の拡大断面図。
【図６】係合部材の装着状態を示す断面図を示し、（ａ）は内ハブと係合部材との係合状態を、（ｂ）は内ハブと係合部材との係合が解除された状態を示す。
【符号の説明】
【００２０】
１、１０１  注射器                ２、１０２  バレル
３、１０３  プランジャ            ４、１０４  ガスケット
５、１０５  外ハブ                ５ｆ、１０５ｆ  貫通孔
７、１０７  内ハブ                ７ｅ、１０７ｅ  凹部
８、１０８  ばね                  ９  係合手段
９ｂ  係合ピン                    １０、１１０  リングシール
１０９  係合部材                  １０９ａ  小径孔
１０９ｂ  大径孔
【図１】
2008073237.tif 000003
【図２】
2008073237.tif 000004
【図３】
2008073237.tif 000005
【図４】
2008073237.tif 000006
【図５】
2008073237.tif 000007
【図６】
2008073237.tif 000008